(57)【要約】【課題】  見栄えの良いクリーム装飾体を容易に作成可能な絞出具、絞出具用の補助部材、口金及び台座を提供すること。【解決手段】  絞出具２は、クリーム状物を内包する容器２０と、容器２０と接続される口金６０と、口金６０に対して固定される固定部５２と、クリーム装飾体８１が作成される作成面に対して当接する位置決め部５１とを有する補助部材５０と、を有する。また、容器２０は、前方当接部４２４が前端に形成された接続部４０を有する。さらに、口金６０は、内部に形成された後方当接部６６を有する。補助部材５０は、前方当接部４２４と後方当接部６６により前後が挟持されて、固定される。補助部材５０は、口金６０内に収納されるとともに、位置決め部５１は柱状に形成されて口金６０から突出する。【選択図】  図６
2018068849.tif 000002
【特許請求の範囲】
【請求項１】
クリーム状物を内包する容器と、
前記容器と接続される口金と、
前記口金に対して固定される固定部と、装飾体が作成される作成面に対して当接する位置決め部とを備える補助部材と、
を有することを特徴とする絞出具。
【請求項２】
前記固定部は、円環状に形成され、
前記補助部材は、前記固定部が前記口金と前記容器との間に挟持されて固定される、
ことを特徴とする請求項１に記載の絞出具。
【請求項３】
前記容器は、前方当接部が前端に形成された接続部を有し、
前記口金は、内部に形成された後方当接部を有し、
前記補助部材は、前記前方当接部と前記後方当接部により前後が挟持されて固定される、
ことを特徴とする請求項１又は請求項２に記載の絞出具。
【請求項４】
前記補助部材は、前記口金内に収納されるとともに、
前記位置決め部は、柱状に形成され、前記口金から突出する、
ことを特徴とする請求項１乃至請求項３の何れかに記載の絞出具。
【請求項５】
前記補助部材は、
前記位置決め部と前記固定部を接続する接続杆と、
前記接続杆よりも前方側の前記位置決め部と前記接続杆の前面との間に形成される前方リブ部と、
前記接続杆よりも後方側の前記位置決め部と前記接続杆の後面との間に形成される後方リブ部と、
を有することを特徴とする請求項１乃至請求項４の何れかに記載の絞出具。
【請求項６】
クリーム状物の絞出具の補助部材であって、
前記絞出具に対して固定される固定部と、装飾体が作成される作成面に対して当接する位置決め部と、
を有することを特徴とする補助部材。
【請求項７】
クリーム状物を内包する容器と、
前記容器と接続される口金と、
前記口金に対して固定される固定部と、装飾体が作成される作成面に対して当接する位置決め部とを備える補助部材と、
を有することを特徴とする装飾体形成玩具。
【請求項８】
装飾体形成玩具と台座とを備える装飾体形成玩具セットであって、
前記装飾体形成玩具は、
クリーム状物を内包する容器と、
前記容器と接続される口金と、
前記口金に対して固定される固定部と、装飾体が作成される作成面に対して当接する位置決め部とを有する補助部材と、
を有し、
前記台座は、
前記位置決め部の先端を当接させる当接ガイドと、
前記クリーム状物の絞り出し量をガイドする絞量ガイドと、
を有する、
ことを特徴とする装飾体形成玩具セット。
【発明の詳細な説明】
【技術分野】
【０００１】
本発明は、クリーム状物を絞り出す絞出具、絞出具用の補助部材、装飾体形成玩具及び装飾体形成玩具セットに関する。
【背景技術】
【０００２】
従来から、ホイップクリームを模したクリーム樹脂を充填したチューブを用いて、ケーキなどの疑似食品を作成する玩具が提案されている。例えば、特許文献１には合成樹脂であるクリーム樹脂をチューブ容器に充填した樹脂チューブを備える玩具セットが開示されている。この玩具セットは、見た目に綺麗な食品を模したアクセサリーとすることができる装飾性の高い疑似食品の装飾玩具を容易に成形して遊ぶことができる
【０００３】
また、特許文献２には、食用一般に用いられるクリーム類を絞り出す際に用いられるクリーム絞出具が開示されている。このクリーム絞出具は、絞出口を有する筒状の絞出ノズルを備え、絞出口の開口縁は中心に向かう略三角形状の先鋭部及び略三角形状の切欠溝部が交互に環状に並列配置されて形成される。
【先行技術文献】
【特許文献】
【０００４】
【特許文献１】特開２０１０−１５２号公報
【特許文献２】特開平９−９４０６７号公報
【発明の概要】
【発明が解決しようとする課題】
【０００５】
特許文献１のような樹脂チューブや特許文献２のクリーム絞出具において、チューブ容器の内包物であるクリーム状物を絞り出して、高さや形が均等な見栄えの良い装飾体を作成するには、そのクリーム状物を盛り付ける作成面と絞出具との距離を適切に維持したり、クリーム状物を絞り出すタイミングや量を見極める等、一定以上の技術が必要である。そのため、絞出具の取扱いに慣れていない使用者にとっては、見栄えの良いクリーム装飾体を作成することが難しい。
【０００６】
本発明は、以上の点に鑑み、見栄えの良いクリーム装飾体を容易に作成可能な絞出具、絞出具用の補助部材、装飾体形成玩具及び装飾体形成玩具セットを提供することを目的とする。
【課題を解決するための手段】
【０００７】
本発明の一つの態様に係る絞出具は、クリーム状物を内包する容器と、前記容器と接続される口金と、前記口金に対して固定される固定部と、装飾体が作成される作成面に対して当接する位置決め部とを備える補助部材と、を有する。
【０００８】
本発明の一つの態様に係る補助部材は、クリーム状物の絞出具の補助部材であって、前記絞出具に対して固定される固定部と、装飾体が作成される作成面に対して当接する位置決め部と、を有する。
【０００９】
本発明の一つの態様に係る装飾体形成玩具は、クリーム状物を内包する容器と、前記容器と接続される口金と、前記口金に対して固定される固定部と、装飾体が作成される作成面に対して当接する位置決め部とを備える補助部材と、を有する。
【００１０】
本発明の一つの態様に係る装飾体形成玩具セットは、装飾体形成玩具と台座とを備える装飾体形成玩具セットであって、前記装飾体形成玩具は、クリーム状物を内包する容器と、前記容器と接続される口金と、前記口金に対して固定される固定部と、装飾体が作成される作成面に対して当接する位置決め部とを有する補助部材と、を有し、前記台座は、前記位置決め部の先端を当接させる当接ガイドと、前記クリーム状物の絞り出し量をガイドする絞量ガイドと、を有する。
【発明の効果】
【００１１】
上記態様によれば、作成面と絞出具との距離を安定維持することができるので、高さや形が均等な見栄えの良いクリーム装飾体を容易に作成可能な絞出具、絞出具用の補助部材、装飾体形成玩具及び装飾体形成玩具セットを提供することができる。
【図面の簡単な説明】
【００１２】
【図１】本発明の実施形態１に係る装飾体形成玩具セットを示す図である。
【図２】本発明の実施形態１に係る絞出具の分解斜視図である。
【図３】本発明の実施形態１に係る補助部材を示す図であり、（ａ）は前方から見た斜視図であり、（ｂ）は後方から見た斜視図である。
【図４】本発明の実施形態１に係る補助部材を示す図であり、（ａ）は前方から見た平面図であり、（ｂ）は後方から見た平面図である。
【図５】本発明の実施形態１に係る装飾体形成玩具セットの台座を示す図であり、（ａ）は上方から見た斜視図であり、（ｂ）は下方から見た斜視図である。
【図６】本発明の実施形態１に係る図１の絞出具のＶＩ−ＶＩ断面図である。
【図７】本発明の実施形態１に係る絞出具の使用方法を示す図であり、（ａ）乃至（ｄ）の順に作業工程を示している。
【図８】本発明の実施形態２に係る絞出具の図１のＶＩ−ＶＩ断面に相当する位置の断面図である。
【発明を実施するための形態】
【００１３】
（実施形態１）
以下、図に基づいて本発明の実施形態を説明する。図１は、装飾体形成玩具セット１を示す図である。装飾体形成玩具セット１は、絞出具２と台座３を含む。使用者は、絞出具２の容器２０に充填されたクリーム状物４を容器２０の後方（図の上方）から前方（図の下方）に移動するように絞ることにより、クリーム状物４を先端の口金６０の開口部６３１から絞り出すことができる。絞り出されたクリーム状物４は、台座３の上板３１に盛り付けられて生クリームによる装飾が施された洋菓子等を模した装飾体玩具を成形することができる。
【００１４】
以下、クリーム状物４としてクリーム樹脂を用い、絞出具２を装飾体形成玩具として主に遊戯用に適用させた装飾体形成玩具セット１について説明する。なお、本実施形態の絞出具２はクリーム樹脂の代わりに一般の食用に用いられるホイップクリーム等のクリーム状物を内包させて使用してもよい。この場合、絞出具２は、台座３の代わりにスポンジケーキ等の食品を盛り付けるために利用することができる。
【００１５】
図２は、絞出具２の分解斜視図である。なお、以下の絞出具２の説明では、容器２０側を後、口金６０側を前とする。絞出具２は、容器２０、接続部４０、補助部材５０、口金６０、キャップ７０を有する。容器２０は、主に図１に示すように図の手前及び奥に配置されたポリ塩化ビニル樹脂等の柔軟性のある２枚のシート部材を重ねて、側辺２１を熱圧着等で接着させることにより形成される。容器２０の前半部２０１は、前端側から後端側に向かって左右幅が広がるように形成される。容器２０の後半部２０２は、左右幅が略一定となるように形成される。容器２０の後方部２２も、２枚の重なったシート部材を熱圧着等で接着させて袋状に閉じられる。
【００１６】
このように形成される容器２０の内部には、クリーム状物４が真空状態で充填される。クリーム状物４は、ホイップクリームを模しており、例えば、合成糊剤、アクリル樹脂、セルロース、安定剤、防腐剤等を含めることができる。従って、クリーム状物４は、空気に触れて乾燥すると固化する。また、クリーム状物４は、着色料を添加して着色が施されてもよい。
【００１７】
図２で、接続部４０は、外径の大きい後段部４１と外径の小さい前段部４２を有し、全体が略円筒状に形成される。後段部４１は前方（図の下方）に向かうに従い縮径するように形成される。後段部４１の後端縁には、フランジ部４１１が周方向に亘って形成される。また、後段部４１の外周側面には、その外周側面より径の大きい複数の突径部４１２が周方向に沿って形成される。突径部４１２は、前後方向に複数配置される。
【００１８】
容器２０は、前端に開口部２３を有している。この開口部２３は、接続部４０と接続される。開口部２３は、２枚のシート部材の前端を除く側辺２１同士が接着されることにより形成される。また、開口部２３付近では、開口部２３の内縁が接続部４０の後段部４１と密着するように側辺２１が接着される。後段部４１に設けられた突径部４１２が開口部２３の内側と密着するため、クリーム状物４が後段部４１の外周側面と開口部２３との隙間から漏洩することが防止される。
【００１９】
前段部４２の外周側面には、雄ネジ部４２１が形成される。雄ネジ部４２１の溝部４２２の終端付近には、平凸状の係止突起４２３が形成される。係止突起４２３は、雄ネジ部４２１のネジ山よりも低く形成される。
【００２０】
また、接続部４０は、主に図６に示すように、内径の大きい後内壁部４３と内径の小さい前内壁部４４を有する。後内壁部４３と前内壁部４４の段状の境界には、後方を向く平坦面を有した段部４５が形成される。また、接続部４０の前端には、円環状の前方当接部４２４が形成される。
【００２１】
図２に戻り、口金６０は、外径の大きい後段部６１、後段部６１より外径の小さい中段部６２、中段部６２より外径の小さい前段部６３を有し、全体が略円筒状に形成される。後段部６１の後端縁には、フランジ部６１１が周方向に亘って形成される。また、後段部６１の外周側面には、複数のリブ部６１２が前後方向（円筒状の口金６０の軸方向）に形成される。後段部６１の側面の一部からは、後方に立設する表示板６１３が形成される。表示板６１３の外周側（図２の右側）の板面には、文字や図形などにより口金６０の開口部６３１の形状タイプを表示させることができる。形状タイプには、開口部６３１の形状や大きさが含まれる。また、中段部６２の外周側面には、雄ネジ部６２１が形成される。
【００２２】
前段部６３の外径は、前方に向かって徐々に縮径されるように形成される。前段部６３の前端には、開口部６３１が形成される。開口部６３１は、ホイップクリーム用の絞出具において一般的に使用される開口形状とすることができる。本実施形態では、星形８切りタイプを用いている。したがって、開口部６３１は、平面視において、８つの先鋭板６３１ａをその鋭角頂部が開口部６３１の中央側に向くように環状に配置されることにより形成される。先鋭板６３１ａ同士の間には、切欠部６３１ｂが形成される。
【００２３】
また、口金６０は、主に図６に示すように、内径の大きい後内壁部６４と、後内壁部６４より内径の小さい前内壁部６５を有する。後内壁部６４には、接続部４０の雄ネジ部４２１と螺合する雌ネジ部６４１が形成される。前内壁部６５は、開口部６３１までに亘って形成されており、前方に向かってその内径が徐々に縮径されるように形成される。後内壁部６４と前内壁部６５の境界には、後方を向く平坦面を有した段状の後方当接部６６が形成される。なお、雄ネジ部４２１が雌ネジ部６４１に螺入される際、係止突起４２３は雌ネジ部６４１のネジ山と当接することにより接続部４０と口金６０の螺止状態を維持させることができる。
【００２４】
補助部材５０は、接続部４０及び口金６０の内部に配置される。ここで、図３及び図４を用いて補助部材５０の詳細について説明する。図３（ａ）は補助部材５０を前方から見た斜視図であり、図３（ｂ）は補助部材５０を後方から見た斜視図である。また、図４（ａ）は補助部材５０を前方から見た平面図であり、図４（ｂ）は補助部材５０を後方から見た平面図である。
【００２５】
補助部材５０は、前後方向に長軸を有した柱状（或いは棒状）の位置決め部５１と、円環状の固定部５２とを有する。位置決め部５１は、固定部５２の略中心を貫通するように配置される。また、固定部５２は、位置決め部５１の後方側に配置される。位置決め部５１と固定部５２とは、角柱状の接続杆５３により接続される。接続杆５３の前面５３１と固定部５２の前面５２１は同一平面となるように形成される（図３（ａ）又は図４（ａ）参照）。接続杆５３の後面５３２と固定部５２の後面５２２は同一平面となるように形成される（図３（ｂ）又は図４（ｂ）参照）。
【００２６】
接続杆５３と、前面５３１側の位置決め部５１との間には、前方リブ部５４が設けられる。前方リブ部５４は、略直角台形の板状に形成される。前方リブ部５４は接続杆５３の中央付近から、位置決め部５１の中央よりも前方側までに亘って形成される。前方リブ部５４は、前後方向に長板状に形成される。前方リブ部５４の板厚は、接続杆５３の幅及び位置決め部５１の直径よりも小さくなるように形成される。
【００２７】
一方、接続杆５３と、後面５３２側の位置決め部５１との間には、後方リブ部５５が設けられる。後方リブ部５５は、略直角三角形の板状に形成される。なお、このように三角形とすることにより、補助部材５０を床等に置いた際に補助部材５０が横向きに転倒し、位置決め部５１により怪我をしないように安全が図られている。後方リブ部５５は接続杆５３の外径側の端部（すなわち固定部５２側の端部）付近から、位置決め部５１の後方端部５１１までに亘って形成される。また、各後方リブ部５５の固定部５２側の外方端部５５ａは、位置決め部５１の長軸と略平行で、後方リブ部５５と略垂直な面によるＣ面取り状に形成される。後方リブ部５５の板厚は、接続杆５３の幅及び位置決め部５１の直径よりも小さくなるように形成される。
【００２８】
本実施形態の接続杆５３、前方リブ部５４及び後方リブ部５５は、図４（ａ）及び図４（ｂ）の平面図に示す様に、位置決め部５１を中心として固定部５２に向かって放射状に配置される。また、接続杆５３、前方リブ部５４及び後方リブ部５５は、位置決め部５１の長軸周りに略等角度となるように配置される。本実施形態の例では、接続杆５３、前方リブ部５４及び後方リブ部５５が３つずつ設けられている。従って、接続杆５３、前方リブ部５４及び後方リブ部５５は位置決め部５１の長軸周りに互いに約１２０度の角度で配置される。
【００２９】
このように、位置決め部５１と固定部５２が接続杆５３によって接続される構成により、補助部材５０には、絞出具２の使用時にクリーム状物４が通過する略扇形状の流動路５６が形成される。
【００３０】
図２に戻り、キャップ７０は、前端側に底部を有して円柱状に形成される。キャップ７０の後端縁には、フランジ部７１１が周方向に亘って形成される。キャップ７０の外周側面７１には、複数の縦リブ７１２が形成される。キャップ７０の内周壁７２の後端側には、口金６０の雄ネジ部６２１と螺合する雌ネジ部７２１が形成される。
【００３１】
つぎに、台座３について説明する。図５（ａ）は、台座３を上方から見た斜視図であり、図５（ｂ）は台座３を下方から見た斜視図である。なお、台座３の説明において、図５の上板３１側を上、その反対側を下とする。台座３は略円柱状に形成される。台座３の上板３１には複数の当接ガイド３１１及び絞量ガイド３１２が設けられている。
【００３２】
図５（ａ）において、当接ガイド３１１は、円形の凹状に形成される。当接ガイド３１１は、補助部材５０の位置決め部５１の前端５１２を当接させて、絞出具２の位置決めに用いられる。よって、絞出具２の台座３に対する高さ及び前後左右の位置が容易に安定維持される。なお、本実施形態の当接ガイド３１１は、位置決め部５１の前端５１２形状と略同じ形状の窪みとして形成される。よって、前端５１２の前面は、当接ガイド３１１の底面と略面当接することができる。
【００３３】
また、当接ガイド３１１は、位置決め部５１の外形よりも大径に形成して、前端５１２の先端が当接ガイド３１１の底面と当接することにより、位置決め部５１の位置をガイドしてもよい。さらに、当接ガイド３１１は、位置決め部５１より小径の窪み又は孔部として設け、その窪み又は孔部の内縁により位置決め部５１の前端５１２位置を支えてもよい。
【００３４】
絞量ガイド３１２は、当接ガイド３１１を中心として、当接ガイド３１１の周囲に設けられる。絞量ガイド３１２は、上板３１より凸状の線によって描かれた外輪ガイド３１２ａと放射状ガイド３１２ｂを有する。絞量ガイド３１２の外輪ガイド３１２ａは、頂部３１２ｃが８個の星形に形成される。絞量ガイド３１２は、絞出具２からクリーム状物４を絞り出す際に、適切な絞り量を使用者に把握させるために用いられる。
【００３５】
本実施形態の台座３では、当接ガイド３１１及び絞量ガイド３１２の組みが上板３１上に１４か所設けられる。また、上板３１の略中央には、当接ガイド３１１よりも大きい略円形の凹部３１３が形成される。
【００３６】
図５（ｂ）において、台座３の上板３１の外縁部からは、下方に向かって側壁３２が立設している。台座３は下方に開口部を有した円柱容器状に形成される。上板３１の裏面側の略中央には、円筒リブ３３が設けられる。また、上板３１の裏面側には、円筒リブ３３の外側面３３ａと、側壁３２の内面３２ｂとを接続する平板リブ３４が設けられる。平板リブ３４は、上板３１の裏面とも接続される。また、下方から見た平面視において、平板リブ３４は、上板３１の中央を中心として互いが略９０度となるように合計４つ配置される。このように、円筒リブ３３や平板リブ３４を設けることで、台座３の強度を高くすることができる。
【００３７】
なお、当接ガイド３１１の形状は、位置決め部５１の前端５１２が当接した際に係合可能な複数の凸部等の他の形状としてもよい。また、絞量ガイド３１２は、使用者がその形状を視認できるものであれば、凹溝により描いてもよい。さらに、当接ガイド３１１及び絞量ガイド３１２は、上板３１のベース色と判別可能な他の色に着色された点や線等によって形成してもよい。
【００３８】
図６は、図１の絞出具２のＶＩ−ＶＩ断面図である。なお本図では、口金６０周辺の部位について示しており、クリーム状物４の図示は省略している。容器２０が取り付けられた接続部４０は、前段部４２が口金６０の後内壁部６４に螺入されて、口金６０と接続される。このとき、固定部５２の後面５２２側は接続部４０の前方当接部４２４と当接し、固定部５２の前面５２１側は口金６０の後方当接部６６と当接する。これにより、補助部材５０は、前方当接部４２４と後方当接部６６に挟持されて、口金６０内部で支持される。また、後方リブ部５５の外方端部５５ａと前内壁部４４が近接又は当接するため、補助部材５０の前後又は左右方向へずれが低減される。
【００３９】
また、補助部材５０の位置決め部５１の前端５１２側の一部は、開口部６３１の内部から外部に突出するように配置される。このように口金６０の内部に補助部材５０を配置させると、袋状の容器２０から矢印Ｃに示される方向（すなわち後方から前方）に絞り出されるクリーム状物４が、接続部４０、補助部材５０の流動路５６、口金６０の順に通過して、開口部６３１から絞出具２の前方外部へ外出する。開口部６３１から絞り出されたクリーム状物４は、開口部６３１から外部に露出した位置決め部５１を伝って前方に移動する。
【００４０】
つぎに、台座３を用いた絞出具２の使用方法について説明する。図７（ａ）〜図７（ｄ）は、絞出具２の使用方法を示す図である。まず、図７（ａ）のステップＳ１で、使用者は、口金６０を下方へ、接続部４０を上方へ向けた状態で位置決め部５１の前端５１２が台座３に設けられた当接ガイド３１１に当接するように、絞出具２を配置させる。絞出具２の位置は、開口部６３１から台座３の上板３１までの距離が補助部材５０によって予め定められた所定の高さｈとなるように容易に配置される。
【００４１】
図７（ｂ）のステップＳ２で、使用者が容器２０に内包されるクリーム状物４を口金６０側に絞り出すように移動させると、クリーム状物４が、開口部６３１から外方に出現する。クリーム状物４が出現した初期の段階では、クリーム状物４と上板３１との接触面積が小さく、クリーム状物４は外輪ガイド３１２ａの内側（すなわち外輪ガイド３１２ａの当接ガイド３１１側）に形成される。使用者がクリーム状物４の絞り出し動作を継続すると、クリーム状物４は上板３１との接触面積を広げながら側面が膨らむように大きくなり、立体的なクリーム装飾体８１を形成する。このとき、切欠部６３１ｂから出現するクリーム状物４は側頂部８１１を形成し、先鋭板６３１ａから出現するクリーム状物４は谷部８１２を形成する。
【００４２】
外輪ガイド３１２ａは、クリーム状物４の絞り出し量（すなわちクリーム状物４と上板３１との境界ｂの位置）が適切であることを示している。また、本実施形態の開口部６３１は星形８つ切り形状であり、外輪ガイド３１２ａも頂部３１２ｃが８個形成された星形である。従って、境界ｂは図示しない平面視において外輪ガイド３１２ａと略相似となる。使用者は、絞出具２を使用する際、クリーム装飾体８１の側頂部８１１が外輪ガイド３１２ａの頂部３１２ｃ（図５参照）と一致するように絞出具２の長軸周りの向きを調整する。よって、クリーム状物４の絞出し量を増加させていくと、図５に示した外輪ガイド３１２ａと、境界ｂとが一致する。従って、使用者は適切な絞り出し量に達したか容易に判断することができる。
【００４３】
図７（ｃ）のステップＳ３で、使用者は、クリーム状物４と上板３１上との境界ｂが外輪ガイド３１２ａと略一致すると、絞出具２の絞り出し操作を停止させる。
【００４４】
図７（ｄ）のステップＳ４で、使用者は、絞出具２を上板３１から離れるように上方に引き上げる。これにより、クリーム状物４によるクリーム装飾体８１を形良く作成することができる。また、クリーム装飾体８１は、所定時間乾燥させることにより、保存や装飾体としての利用に適した硬さに硬化する。
【００４５】
なお、開口部６３１から台座３までの適切な高さｈは、開口部６３１の形状や大きさによって異なってもよい。このように、本実施形態の絞出具２は、補助部材５０を利用することによって、開口部６３１の高さｈを適切な位置に配置させ、維持させることができる。
【００４６】
また、補助部材５０の高さを定める位置決め部５１は、開口部６３１の略中央から突出させるように設けられたため、開口部６３１から絞り出されるクリーム状物４の移動や、クリーム装飾体８１の外観形成が阻害されることがない。
【００４７】
さらに、上述のステップＳ４で絞出具２を引き上げる際に、位置決め部５１の前端５１２は、台座３に絞り出されたクリーム状物４を上方に引き上げ、クリーム装飾体８１の角部８１３を形成する。角部８１３は、絞出具２とクリーム装飾体８１が離れる際にクリーム装飾体８１が上方に引かれて形成されるものであり、補助部材５０を用いない従来の絞出具を用いた場合と同様に形良く角部を形成することができる。よって、絞出具２により作成されるクリーム装飾体８１は、従来の絞出具により形成されるクリーム装飾体と比較しても見栄えを損なうことがない。さらに、位置決め部５１が開口部６３１の内側に設けられたため、使用者は、補助部材５０を使用しない場合と同様に絞り出されるクリーム状物４の視認を行うことができる。
【００４８】
また、ステップＳ１〜Ｓ４では、絞出具２を台座３に対して略垂直となるように配置させて使用する例について説明したが、作成したいクリーム装飾体８１の形状によっては絞出具２を傾斜させて使用してもよい。この場合であっても、位置決め部５１の前端５１２を台座３に当接させれば、口金６０の開口部６３１と台座３の上板３１との距離は予め定めた高さとすることができるため、見栄えの良いクリーム装飾体８１を安定して作成することができる。
【００４９】
また、ステップＳ２及びステップＳ３の絞り出し操作において、使用者は、開口部６３１の中心を絞出具２の回転軸として絞出具２を回転させながら、クリーム状物４を絞り出してもよい。これにより、星形の側頂部８１１が螺旋状に回転したクリーム装飾体８１を形成することができる。
【００５０】
以上、本実施形態の補助部材５０を用いた絞出具２について説明したが、補助部材５０は、開口部６３１から作成面（本実施形態では台座３の上板３１）までの距離が適切に保てる部材であればよく、他の構成の部材を用いてもよい。
【００５１】
（実施形態２）
図８は、実施形態２に係る絞出具２Ａの断面図である。なお、図８に示す絞出具２Ａの断面位置は、図１に示した絞出具２のＶＩ−ＶＩ断面図の断面位置に相当する。本実施形態では、実施形態１の補助部材５０の代わりに補助部材５０Ａを用い、接続部４０及び口金６０の代わりに接続部４０Ａ及び口金６０Ａを用いる。なお、本実施形態の説明において、実施形態１と同様の構成については同一の符号を付してその説明を省略又は簡略化する。
【００５２】
補助部材５０Ａは、４個の位置決め部５１Ａと、固定部５２Ａを備える。なお、図中には口金６０Ａの左右及び奥に３個の位置決め部５１Ａが示される。固定部５２Ａは、前面５２Ａ１及び後面５２Ａ２が平坦な円環状に形成される。各位置決め部５１Ａは、円柱状に形成される。また、各位置決め部５１Ａの後端部は固定部５２Ａの外周側面と接続される。このとき、各位置決め部５１Ａは、固定部５２Ａを後方から見た平面視において、固定部５２Ａの中央部を中心に互いが略９０度となる位置に配置される。
【００５３】
補助部材５０Ａは、固定部５２Ａがフランジ部６１１の後面と接続部４０の段部４６とにより前後が挟持されて支持される。これにより、口金６０Ａの開口部６３１と位置決め部５１Ａの前端５１２との距離（高さ）が予め定められた長さとなる。よって、位置決め部５１Ａの前端５１２を図７の台座３の上板３１（すなわち、クリーム装飾体８１の作成面）に当接させて、開口部６３１と上板３１との距離や位置を安定維持させながらクリーム状物４を絞り出して、見栄えの良いクリーム装飾体８１を容易に作成することができる。
【００５４】
また、本実施形態の補助部材５０Ａは、複数の位置決め部５１Ａを備えるため、絞出具２Ａを使用する際に絞出具２Ａが作成面に対して傾斜することを防止することができる。
【００５５】
なお、本実施形態のように補助部材５０Ａを口金６０Ａの外部で固定させる場合、口金６０Ａと台座３との距離を定める位置決め部５１Ａは、一つ又は複数の柱状体又は板状体といったその他の形状とすることができる。この場合、位置決め部５１Ａは、図８のように絞出具２Ａから絞り出されたクリーム状物４と接触しない位置に設けてもよいし、実施形態１のように接触する位置に設けてもよい。
【００５６】
また、位置決め部５１Ａは、円環状の固定部５２Ａの外周縁から前方側へ立設する円筒状の壁部としてもよい。この壁部は、口金６０Ａから出現するクリーム状物４を視認しやすくするために、スリット状の切欠き部を備える構成としたり、透明部材により形成することができる。
【００５７】
以上、補助部材５０，５０Ａを用いた絞出具２，２Ａについて説明したが、開口部６３１の形状は、星形８つ切り形状以外にも、星の頂部の数を適宜増加又は減少させた星形形状を用いることができる。また、開口部６３１の形状は、丸型や多角形等の他の形状を適用させてもよい。
【００５８】
また、台座３の当接ガイド３１１の大きさ、形状、数は、位置決め部５１，５１Ａの先端（前端５１２）の大きさ、形状、数と対応させて設けることができる。当接ガイド３１１は、補助部材５０，５０Ａの位置決め部５１，５１Ａの先端が係合して前後又は左右のブレを低減させる凸部又は凹部としてもよい。
【００５９】
また、当接ガイド３１１には、絞出具２，２Ａの軸周りの向きを定めるための凹部や凸部等の係止部を含めてもよい。例えば、補助部材５０Ａは固定部５２Ａの外側面から前方に立設する柱状の向き決め部を備える構成とし、位置決め部５１，５１Ａを当接ガイド３１１に当接させた際に、その向き決め部を係止部と係止させる。これにより、絞出具２，２Ａの軸周りの向きを適切な位置にガイドさせることができる。
【００６０】
また、補助部材５０，５０Ａは、固定部５２，５２Ａ等の部位により、口金６０，６０Ａや接続部４０，４０Ａと一体に形成される構成としてもよい。
【００６１】
以上のような本発明の実施形態によれば、下記の態様の絞出具、補助部材、装飾体形成玩具、及び装飾体形成玩具セットを提供することができる。
【００６２】
第１の態様に係る絞出具は、クリーム状物を内包する容器と、前記容器と接続される口金と、前記口金に対して固定される固定部と、装飾体が作成される作成面に対して当接する位置決め部とを備える補助部材と、を有する。
【００６３】
この構成によれば、作成面と絞出具との間の距離を安定して維持することができるため、高さや形が均等な見栄えの良いクリーム装飾体を容易に作成することができる。
【００６４】
第２の態様に係る絞出具は、前記固定部は、円環状に形成され、前記補助部材は、前記固定部が前記口金と前記容器との間に挟持されて固定される。
【００６５】
この構成によれば、補助部材を絞出具に対して簡易な構成により安定して固定させることができる。
【００６６】
第３の態様に係る絞出具は、前記容器は、前方当接部が前端に形成された接続部を有し、前記口金は、内部に形成された後方当接部を有し、前記補助部材は、前記前方当接部と前記後方当接部により前後が挟持されて固定される。
【００６７】
この構成によれば、補助部材を口金内部に容易に固定させることができる。
【００６８】
第４の態様に係る絞出具は、前記補助部材は、前記口金内に収納されるとともに、前記位置決め部は、柱状に形成され、前記口金から突出する。
【００６９】
この構成によれば、簡易な構成により、補助部材をコンパクトに配置させることができる。また、クリーム状物を絞り出して絞出具を引き上げる際に、柱状の位置決め部がクリーム装飾体の角部を上方に引き上げるため、見栄えを損なうことなく装飾体を作成することができる。
【００７０】
第５の態様に係る絞出具は、前記補助部材は、前記位置決め部と前記固定部を接続する接続杆と、前記接続杆よりも前方側の前記位置決め部と前記接続杆の前面との間に形成される前方リブ部と、前記接続杆よりも後方側の前記位置決め部と前記接続杆の後面との間に形成される後方リブ部と、を有する。
【００７１】
この構成によれば、補助部材を口金の内部におけるクリーム状物の流路上に配置させることができる。また、接続杆、固定部、位置決め部の間には流路が形成されるため、クリーム状物の流れが阻害されることを低減させることができる。また、柱状に形成される位置決め部や杆状に形成される接続杆の強度を増加させることができる。よって、補助部材を作成面に当接させることにより補助部材に押圧負荷がかかっても、簡易な構成で破損を防ぐことができる。
【００７２】
第６の態様に係る補助部材は、クリーム状物の絞出具の補助部材であって、前記絞出具に対して固定される固定部と、装飾体が作成される作成面に対して当接する位置決め部と、を有する。
【００７３】
第７の態様に係る装飾体形成玩具は、クリーム状物を内包する容器と、前記容器と接続される口金と、前記口金に対して固定される固定部と、装飾体が作成される作成面に対して当接する位置決め部とを備える補助部材と、を有する。
【００７４】
第６及び第７の態様の構成によれば、作成面と絞出具との間の距離を安定して維持することができるため、高さや形が均等な見栄えの良いクリーム装飾体を容易に作成することができる。
【００７５】
第８の態様に係る装飾体形成玩具セットは、装飾体形成玩具と台座とを備える装飾体形成玩具セットであって、前記装飾体形成玩具は、クリーム状物を内包する容器と、前記容器と接続される口金と、前記口金に対して固定される固定部と、装飾体が作成される作成面に対して当接する位置決め部とを有する補助部材と、を有し、前記台座は、前記位置決め部の先端を当接させる当接ガイドと、前記クリーム状物の絞り出し量をガイドする絞量ガイドと、を有する。
【００７６】
この構成によれば、当接ガイドにより補助部材の位置をガイドするとともに、絞量ガイドによりクリーム状物の絞量が適量か否か判断させることができるため、高さや形が均等な見栄えの良いクリーム装飾体を容易に作成することができる。
【００７７】
以上、本発明の実施形態を説明したが、本発明は以上の実施形態によって限定されることはなく、種々の態様で実施することができる。
【符号の説明】
【００７８】
１      装飾体形成玩具セット                ２，２Ａ  絞出具
３      台座                                ４      クリーム状物
２０    容器                                ２１    側辺
２２    後方部                              ２３    開口部
３１    上板                                ３２    側壁
３２ｂ  内面                                ３３    円筒リブ
３３ａ  外側面                              ３４    平板リブ
４０，４０Ａ  接続部                        ４１    後段部
４２    前段部                              ４３    後内壁部
４４    前内壁部                            ４５    段部
４６    段部
５０，５０Ａ  補助部材                      ５１，５１Ａ  位置決め部
５２，５２Ａ  固定部                        ５２Ａ１  前面
５２Ａ２  後面                              ５３    接続杆
５４    前方リブ部                          ５５    後方リブ部
５５ａ  外方端部                            ５６    流動路
６０，６０Ａ  口金                          ６１    後段部
６２    中段部                              ６３    前段部
６４    後内壁部                            ６５    前内壁部
６６    後方当接部                          ７０    キャップ
７１    外周側面                            ７２    内周壁
８１    クリーム装飾体
２０１  前半部                              ２０２  後半部
３１１  当接ガイド                          ３１２  絞量ガイド
３１２ａ  外輪ガイド                        ３１２ｂ  放射状ガイド
３１２ｃ  頂部                              ３１３  凹部
４１１  フランジ部                          ４１２  突径部
４２１  雄ネジ部                            ４２２  溝部
４２３  係止突起                            ４２４  前方当接部
５１１  後方端部                            ５１２  前端
５２１  前面                                ５２２  後面
５３１  前面                                ５３２  後面
６１１  フランジ部                          ６１２  リブ部
６１３  表示板                              ６２１  雄ネジ部
６３１  開口部                              ６３１ａ  先鋭板
６３１ｂ  切欠部                            ６４１  雌ネジ部
７１１  フランジ部                          ７１２  縦リブ
７２１  雌ネジ部
８１１  側頂部                              ８１２  谷部
８１３  角部
ｂ      境界                                ｈ      高さ
【図１】
2018068849.tif 000003
【図２】
2018068849.tif 000004
【図３】
2018068849.tif 000005
【図４】
2018068849.tif 000006
【図５】
2018068849.tif 000007
【図６】
2018068849.tif 000008
【図７】
2018068849.tif 000009
【図８】
2018068849.tif 000010
【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
クリーム状物を内包する容器と、
前記容器と接続される口金と、
前記口金に対して固定される固定部と、装飾体が作成される作成面に対して当接する位置決め部とを備える補助部材と、
を有し、
前記固定部は、前記口金と前記容器との間に挟持される、
ことを特徴とする絞出具。
【請求項２】
前記固定部は、円環状に形成されることを特徴とする請求項１に記載の絞出具。
【請求項３】
前記容器は、前方当接部が前端に形成された接続部を有し、
前記口金は、内部に形成された後方当接部を有し、
前記補助部材は、前記前方当接部と前記後方当接部により前後が挟持されて固定される、
ことを特徴とする請求項１又は請求項２に記載の絞出具。
【請求項４】
前記補助部材は、前記口金内に収納されるとともに、
前記位置決め部は、柱状に形成され、前記口金から突出する、
ことを特徴とする請求項１乃至請求項３の何れかに記載の絞出具。
【請求項５】
前記補助部材は、
前記位置決め部と前記固定部を接続する接続杆と、
前記接続杆よりも前方側の前記位置決め部と前記接続杆の前面との間に形成される前方リブ部と、
前記接続杆よりも後方側の前記位置決め部と前記接続杆の後面との間に形成される後方リブ部と、
を有することを特徴とする請求項１乃至請求項４の何れかに記載の絞出具。
【請求項６】
クリーム状物が内包される容器と該容器に接続される口金とを有する絞出具の補助部材であって、
前記容器と前記口金とにより挟持される固定部と、装飾体が作成される作成面に対して当接する位置決め部と、
を有することを特徴とする補助部材。
【請求項７】
クリーム状物を内包する容器と、
前記容器と接続される口金と、
前記口金に対して固定される固定部と、装飾体が作成される作成面に対して当接する位置決め部とを備える補助部材と、
を有し、
前記固定部は、前記口金と前記容器との間に挟持される、
ことを特徴とする装飾体形成玩具。
【請求項８】
装飾体形成玩具と台座とを備える装飾体形成玩具セットであって、
前記装飾体形成玩具は、
クリーム状物を内包する容器と、
前記容器と接続される口金と、
前記口金に対して固定される固定部と、装飾体が作成される作成面に対して当接する位置決め部とを有する補助部材と、
を有し、
前記固定部は、
前記口金と前記容器との間に挟持され、
前記台座は、
前記位置決め部の先端を当接させる当接ガイドと、
前記クリーム状物の絞り出し量をガイドする絞量ガイドと、
を有する、
ことを特徴とする装飾体形成玩具セット。
【手続補正２】
【補正対象書類名】明細書
【補正対象項目名】０００７
【補正方法】変更
【補正の内容】
【０００７】
本発明の一つの態様に係る絞出具は、クリーム状物を内包する容器と、前記容器と接続される口金と、前記口金に対して固定される固定部と、装飾体が作成される作成面に対して当接する位置決め部とを備える補助部材と、を有し、前記固定部は、前記口金と前記容器との間に挟持される。
【手続補正３】
【補正対象書類名】明細書
【補正対象項目名】０００８
【補正方法】変更
【補正の内容】
【０００８】
本発明の一つの態様に係る補助部材は、クリーム状物が内包される容器と該容器に接続される口金とを有する絞出具の補助部材であって、前記容器と前記口金とにより挟持される固定部と、装飾体が作成される作成面に対して当接する位置決め部と、を有する。
【手続補正４】
【補正対象書類名】明細書
【補正対象項目名】０００９
【補正方法】変更
【補正の内容】
【０００９】
本発明の一つの態様に係る装飾体形成玩具は、クリーム状物を内包する容器と、前記容器と接続される口金と、前記口金に対して固定される固定部と、装飾体が作成される作成面に対して当接する位置決め部とを備える補助部材と、を有し、前記固定部は、前記口金と前記容器との間に挟持される。
【手続補正５】
【補正対象書類名】明細書
【補正対象項目名】００１０
【補正方法】変更
【補正の内容】
【００１０】
本発明の一つの態様に係る装飾体形成玩具セットは、装飾体形成玩具と台座とを備える装飾体形成玩具セットであって、前記装飾体形成玩具は、クリーム状物を内包する容器と、前記容器と接続される口金と、前記口金に対して固定される固定部と、装飾体が作成される作成面に対して当接する位置決め部とを有する補助部材と、を有し、前記固定部は、前記口金と前記容器との間に挟持され、前記台座は、前記位置決め部の先端を当接させる当接ガイドと、前記クリーム状物の絞り出し量をガイドする絞量ガイドと、を有する。